(57)【特許請求の範囲】
【請求項１】
目地部を介して建てられた左右の建物の目地部側の左右の床躯体に形成された一対の凹部と、この一対の凹部に前後方向に所定間隔に配置された複数本の支持バー、この複数本の支持バーの上部を除く部位で固定する固定部材とからなる一対の目地プレート支持部材と、この一対の目地プレート支持部材に両端部が支持される目地プレートとを備えることを特徴とする床用目地装置。
【請求項２】
目地部を介して建てられた左右の建物の一方の建物の目地部側の床躯体に形成された凹部と、この凹部に前後方向に所定間隔に配置された複数本の支持バー、この複数本の支持バーの上部を除く部位で固定する固定部材とからなる目地プレート支持部材と、この目地プレート支持部材に一端部が支持され、他端部が前記他方の建物の目地部側の床躯体に取付けられた目地プレートとを備えることを特徴とする床用目地装置。
【発明の詳細な説明】
【０００１】
【発明の属する技術分野】
本発明は左右の建物の少なくとも一方の目地部側の床躯体に凹部を形成する床用目地装置に関する。
【０００２】
【従来の技術】
従来、この種の床用目地装置は床躯体に凹部を形成し、この凹部の上面が平坦になるようにモルタル仕上げした後、金属板製のベース板を固定していた。
【０００３】
【発明が解決しようとする課題】
従来の床用目地装置は凹部を形成した後、上面が平坦になるようにモルタル仕上げするため、手数がかかるとともに、熟練者でなければ平坦面に仕上げることができず、コスト高になり、かつモルタルが硬化するまでに日数がかかるという欠点があった。
【０００４】
本発明は以上のような従来の欠点に鑑み、熟練者でなくても容易に目地プレートを平坦になるように支持することができるとともに、目地プレートのスライド移動時の接触抵抗が小さく、スムーズに移動でき、かつ短時間で低コストで設置することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の目地部側の左右の床躯体に形成された一対の凹部と、この一対の凹部に前後方向に所定間隔に配置された複数本の支持バー、この複数本の支持バーの上部を除く部位で固定する固定部材とからなる一対の目地プレート支持部材と、この一対の目地プレート支持部材に両端部が支持される目地プレートとで床用目地装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して建てられた左右の建物３、３の床部分を接続する本発明の床用目地装置で、この床用目地装置１は前記左右の建物３、３の目地部側の左右の床躯体３ａ、３ａに形成された一対の凹部４、４と、この一対の凹部４、４に前後方向に所定間隔に配置された複数本の金属材製の支持バー５、この複数本の支持バー５の上部を除く部位で固定する固定部材６とからなる一対の目地プレート支持部材７、７と、この一対の目地プレート支持部材７、７の反目地部側の床躯体３ａ、３ａあるいは該目地プレート支持部材７、７に固定された目地プレートガイド部材８、８と、前記一対の目地プレート支持部材７、７に両側部が支持され、前記目地部２と前記一対の凹部４、４を覆う目地プレート９と、この目地プレート９の中央部を常時前記目地部２の中央部に位置させる、前記目地プレート９の中央底面に固定された少なくとも２本以上の支持ピン１０、１０、この支持ピン１０、１０を中央部の中央枢支部１１、１１に枢支し、両側部が左右の床躯体３ａ、３ａに取付けられたパンタグラフ形状のリンク機構１２、１２とからなる中央維持装置１３とで構成されている。
【０００９】
前記一対の目地プレート支持部材７、７の固定部材６は前記複数本の支持バー５の下部に、溶接等によって固定された少なくとも２本以上の金属材製の固定バー１４と、前記複数本の支持バー５の上部を除く前記凹部４に充填されたモルタル１５とで構成されている。
【００１０】
前記目地プレートガイド部材８、８は図５に示すように、複数本のビス１６等によって床躯体３ａに固定される取付け板１７と、この取付け板１７の一側面と一体形成された、順次上方へ突出するように傾斜するガイド板１８と、このガイド板１８の一側面と一体形成された、下部が複数本のビス１６等で床躯体３ａに固定されるほぼＬ字状の支持板１９とで構成されている。
【００１１】
前記目地プレート９は両側部が前記目地プレートガイド部材８、８のガイド板１８、１８上をスライド移動可能な傾斜面２０、２０に形成された金属材製の浅皿状の目地プレート本体２１と、この目地プレート本体２１内にモルタルあるいはコンクリート２２が充填されたタイル等の床材２３とで構成されている。
【００１２】
前記中央維持装置１３のパンタグラフ形状のリンク機構１２は図６に示すように、四角枠が２個形成されるリンク機構本体２４と、このリンク機構本体２４の両端部の枢支ピン２５、２５に枢支された複数本のビス２６等によって床躯体３ａ、３ａに固定される取付け金具２７、２７とで構成されている。
【００１３】
上記構成の床用目地装置１は目地プレート９の両側部が左右の床躯体３ａ、３ａに形成された凹部４、４に固定された目地プレート支持部材７、７の複数本の支持バー５、５に支持されているので、地震等によって目地部２が狭くなる、図７に示すように左右の建物３、３が揺れ動いたり、目地部２が広くなる、図８に示すように左右の建物３、３が揺れ動く場合には、目地プレート９の両側部の接触面積が小さく、スムーズにスライド移動させることができる。
【００１４】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図９ないし図１１に示す本発明の第２の実施の形態において、前記本発明の第１の実施の形態と主に異なる点は、複数本の支持バー５を左右方向に対して所定の角度、例えば４５度傾斜するように配置した一対の目地プレート支持部材７Ａ、７Ａを用いた点で、このように形成された一対の目地プレート支持部材７Ａ、７Ａを用いて構成した床用目地装置１Ａにしても、前記本発明の第１の実施の形態と同様な作用効果が得られる。
【００１６】
図１２ないし図１４に示す本発明の第３の実施の形態において、前記本発明の第１の実施の形態と主に異なる点は、複数本の支持バー５に少なくとも２個の固定バー挿入孔２８、２８を形成し、該固定バー挿入孔２８、２８に固定バー２９、２９を挿入して複数本の支持バー５の位置固定を行なった一対の目地プレート支持部材７Ｂ、７Ｂを用いた点で、このように形成された一対の目地プレート支持部材７Ｂ、７Ｂを用いて構成した床用目地装置１Ｂにしても、前記本発明の第１の実施の形態と同様な作用効果が得られる。
【００１７】
図１５ないし図１７に示す本発明の第４の実施の形態において、前記本発明の第１の実施の形態と主に異なる点は、左右の建物３、３の他方の目地部側の床躯体３ａに目地プレート支持凹部３０を形成し、該目地プレート支持凹部３０に目地プレート９Ａの他端部をヒンジ部材３１によって回動可能に支持させた点で、このように構成した床用目地装置１Ｃにしてもよい。
前記ヒンジ部材３１は床躯体３ａに取付けられる一方のヒンジ部材３１ａを、該床躯体３ａに形成された軸受孔３２に上下移動可能に取付けられる軸３３に取付け、目地プレート９Ａの回動および上下移動を可能に取付けられている。
本発明の実施の形態ではヒンジ部材３１を用いるものに付いて説明したが、これに限らず、目地プレート９Ａの遊端部が上方へ回動できる機構であればどんな構造のものを用いてもよい。
また、目地プレート９Ａの遊端部に突出時の危険を防止する為にヒンジ部材を介して回動可能なカバープレートを取付けてもよい。
【００１８】
なお、前記本発明の各実施の形態では目地プレート支持部材７、７Ａ、７Ｂの固定部材６として、固定バー１４とモルタル１５を用いるものについて説明したが、本発明はこれに限らず、床躯体３ａに形成した凹部４の底面が平坦な場合にはモルタル１５だけを用いた固定部材６であってもよい。
また、中央維持装置１３のリンク機構１２は前述以外の四角枠が１個や、一方の床躯体にガイドレールを用い、他方の床躯体に枢支された支持バーで中央枢支ピンを枢支するリンク機構等、目地プレートの中央部を常時目地部の中央部に位置できる機構であれば、どんな構造のものを用いても良い。
また、目地プレートとして１枚板で形成したものであってもよい。
【００１９】
【発明の効果】
以上の説明から明らかなように、本発明にあっては次に列挙する効果が得られる。
【００２０】
（１）目地部を介して建てられた左右の建物の目地部側の左右の床躯体に形成された一対の凹部と、この一対の凹部に前後方向に所定間隔に配置された複数本の支持バー、この複数本の支持バーの上部を除く部位で固定する固定部材とからなる一対の目地プレート支持部材と、この一対の目地プレート支持部材に両端部が支持される目地プレートとを備えているので、目地プレートと目地プレート支持部材との接触面積を小さく設定することができる。
したがって、地震等による揺れ動き時に目地プレートに加わる接触抵抗を小さくでき、目地プレートをスムーズにスライド移動させることができる。
【００２１】
（２）前記（１）によって、目地プレートの支持を凹部に設けた目地プレート支持部材で行なうので、従来のように凹部の底面が平坦になるようにモルタルで仕上げするものに比べ、熟練者でなくても短時間に仕上げることができる。
したがって、工期が短縮され、コストの低減を図ることができる。
【００２２】
（３）前記（１）によって、構造が簡単であるので、容易に実施することができる。
【００２３】
（４）請求項２も前記（１）〜（３）と同様な効果が得られる。
【図面の簡単な説明】
【図１】本発明の第１の実施の形態の平面図。
【図２】図１の２−２線に沿う断面図。
【図３】図１の３−３線に沿う断面図。
【図４】本発明の第１の実施の形態の目地プレートを外した状態の平面図。
【図５】本発明の第１の実施の形態の目地プレートガイド部材の説明図。
【図６】本発明の第１の実施の形態のリンク機構の説明図。
【図７】本発明の第１の実施の形態の目地部が狭くなった場合の動作説明図。
【図８】本発明の第１の実施の形態の目地部が広くなった場合の動作説明図。
【図９】本発明の第２の実施の形態の平面図。
【図１０】図９の１０−１０線に沿う断面図。
【図１１】本発明の第２の実施の形態の目地プレートを外した状態の平面図。
【図１２】本発明の第３の実施の形態の平面図。
【図１３】図１２の１３−１３線に沿う断面図。
【図１４】本発明の第３の実施の形態の目地プレートを外した状態の平面図。
【図１５】本発明の第４の実施の形態の平面図。
【図１６】図１５の１６−１６線に沿う断面図。
【図１７】本発明の第４の実施の形態の目地部が狭くなった場合の動作説明図。
【符号の説明】
１、１Ａ、１Ｂ、１Ｃ：床用目地装置、
２：目地部、            ３：建物、
４：凹部、              ５：支持バー、
６：固定部材、
７、７Ａ、７Ｂ：目地プレート支持部材、
８：目地プレートガイド部材、
９、９Ａ：目地プレート、１０：枢支ピン、
１１：中央枢支部、      １２：リンク機構、
１３：中央維持装置、    １４：固定バー、
１５：モルタル、        １６：ビス、
１７：取付け板、        １８：ガイド板、
１９：支持板、          ２０：傾斜面、
２１：目地プレート本体、
２２：モルタルあるいはコンクリート、
２３：床材、            ２４：リンク機構本体、
２５：枢支ピン、        ２６：ビス、
２７：取付け金具、      ２８：固定バー挿入孔、
２９：固定バー、
３０：目地プレート支持凹部、
３１：ヒンジ部材、      ３２：軸受孔、
３３：軸。
【図１】
0003574610.tif 000002
【図２】
0003574610.tif 000003
【図３】
0003574610.tif 000004
【図４】
0003574610.tif 000005
【図５】
0003574610.tif 000006
【図６】
0003574610.tif 000007
【図７】
0003574610.tif 000008
【図８】
0003574610.tif 000009
【図９】
0003574610.tif 000010
【図１０】
0003574610.tif 000011
【図１１】
0003574610.tif 000012
【図１２】
0003574610.tif 000013
【図１３】
0003574610.tif 000014
【図１４】
0003574610.tif 000015
【図１５】
0003574610.tif 000016
【図１６】
0003574610.tif 000017
【図１７】
0003574610.tif 000018